(57)【要約】【課題】手指の変形を防止、保護、整形できる整形保護キャップ。【解決手段】指用の整形保護キャツプであり、指の形をしたキャツプを造り、キャツプ全面に多数の穴４・・・を明けて、先端部に爪の見える開口部２を設けたことを特徴とする整形保護キャップである。【選択図】　　　　　　　　図１
2004041662.tif 000002
【特許請求の範囲】
【請求項１】
指用の整形保護キャツプであり、指の形をしたキャツプを造り、キャツプ全面に多数の穴４・・・を明けて、先端部に爪の見える開口部２を設けたことを特徴とする整形保護キャツプ１Ａ。
【請求項２】
請求項１記載の整形保護キャツプ１Ａの下端部５から爪の見える開口部２まで切り開き６を入れ、切り開き６の両側の近傍にある穴４・・・に調節紐７を通し、指の状態、大きさに合わせて結び止め８をしたことを特徴とする整形保護キャツプ１Ｂ。
【請求項３】
請求項１記載の整形保護キャツプ１Ａに、指の第一関節と指の第二関節の当たる部分にクッションタック１０、１１を設けたことを特徴とする整形保護キャツプ１Ｃ。
【請求項４】
請求項３記載の整形保護キャツプ１Ｃの、下端部５から爪の見える開口部２まで切り開き６を入れ、切り開き６の両側の近傍にある穴４・・・に調節紐７を通し、指の状態、大きさに合わせて結び止め８をしたことを特徴とする整形保護キャツプ１Ｄ。
【発明の詳細な説明】
【０００１】
【発明の属する技術分野】
本発明は指の骨が曲がり変形してゆくのを防止、保護予防しながら整形して行き、また指が曲がる時に疼痛が伴うのを緩和できる整形保護キャップに関するものである。
【０００２】
【従来の技術】
従来は指の、骨の変形に対しては手術をしたり、一定の期間、石膏で固定し、取り外した後も長期間のリハビリを行なったり、曲がった部分に添え木か、プラスチック製またはアルミ製なものを当てるが、治療が長期に渡るため、重傷になり痛まないと、なかなか病院に行けなのが現状で老化現象、骨粗しよう症等の病状で、ゆっくり曲がって行くのを防止、保護、予防と疼痛が伴うのも緩和が出来て取替え、調節が簡単に自分で出来る指用の整形保護キャツプは存在しない。
【０００３】
【発明が解決しようとする課題】
従来は高齢者の人に指の曲がったり変形した人が多かったが、最近では若者にも指が曲がったり変形している人も多く、職業的に繰り返す業務にいる人、レジー、パソコン、コンピュータ関係、包装する人、食堂で皿洗いをする人等指先の作業をする人は、仕事をやめない限り防止、保護予防ができなく、日常的に使用する整形保護キャツプ類の用品はない、このような問題点があつた。
【０００４】
本発明は素材を軟性ポリプロピレン等、骨の曲がりを支えることのできる軟度のある物を使用し、薄く、軽く作製し、寸法をＬ、Ｍ、Ｓと造り、親指は指入れ口５の部分を短く造り、指の状態に合わせて調節できる整形保護キャツプを提供することを目的としている。
【０００５】
【課題を解決するための手段】
請求項１記載の整形保護キャツプ（以下、本発明１Ａという）は指用の整形保護キャツプであり、指の形をしたキャツプを造り、キャツプ全面に多数の穴４・・・を明けて、先端部に爪の見える開口部２を設けたことを特徴とする。
【０００６】
請求項２記載の整形保護キャツプ（以下、本発明１Ｂという）は請求項１記載の整形保護キャツプ１Ａの下端部５から爪の見える開口部２まで切り開き６を入れ、切り開き６の両側の近傍にある穴４・・・に調節紐７を通し、指の状態、大きさに合わせて結び止め８をしたことを特徴とする。
【０００７】
請求項３記載の整形保護キャツプ（以下、本発明１Ｃという）は上記の整形保護キャツプ１Ａに、指の第一関節と指の第二関節の当たる部分にクッションタック１０、１１を設けたことを特徴とする。
【０００８】
請求項４記載の整形保護キャツプ（以下、本発明１Ｄという）は上記の整形保護キャツプ１Ｃの下端部５から爪の見え開口部２まで切り開き６を入れ、切り開き６の両側の近傍にある穴４・・・に調節紐７を通し、指の状態、大きさに合わせて結び止め８をしたことを特徴とする。
【０００９】
本発明で用いる整形保護キャツプの素材としは軟性ポリプロピレン等の合成樹脂または皮、ゴム製を使用して薄く骨の曲がりを防ぐことができ、弾力性のある素材で指の形をした指キャツプを造り、キャツプ前面に多数の穴４・・・を明け指が滑り出ないように指先の丸くなっている部分３を残して、爪形に爪が見える開口部２を明ける。これらの穴４・・・により通気性が良く、皮膚が蒸れないので白くなって剥がれなく、皮膚呼吸、血液循環を妨げず指を整形、保護することが出来る。
【００１０】
上記のキャツプを指の状態、大きさに合わせて、調節が自由にできるように指の付け根１４に当たる下端部５の部分から爪の見える開口部２まで切り開き６の近傍にある穴４・・・に調節紐７を通し指の大、小、状態に合わせて自由に調節出来るようにする。
【００１１】
また関節機能を失わないように、指の第一関節と第二関節の部分にクッションタック１０、１１を設けることにより微妙な動きに対応でき指えの負担も軽く、整形保護キャツプをしたまま仕事ができる。
【００１２】
上記のクッションタッグを設けた１Ｃの形では指に合うように調節ができないため調節が自由にできるように下端部５の部分から爪の見える開口部２まで切り開き６を入れ、切り開き６の近傍にある穴４・・・に調節紐７を通し指の状態に合わせて結び止め８をする。穴４・・・に通す紐は細い紐か、皮紐、ゴム紐を使用し、紐の掛け方は指の状態に合わせて掛け方を自由に替えることが出来る。
【００１３】
【発明の実施の形態】
発明の実施の形態を実施例にもとづき図面を参照して説明する。図１において、実施例では軟性ポリプロピレンを用いて指の形をした整形保護キャツプの形を造り、指先の丸になっている部分３を残して爪の見える開口部２を明けた。そしてキャツプ全面に多数の穴４・・・を明けた。図２は、１Ａを裏から見た図である。こうして整形保護キャツプ１Ａを得た。
【００１４】
図３において、整形保護キャツプは上記１Ａに切り開きを下端部５から、爪の見える開口部２まで切り開き６を入れ、切り開き６の両側の近傍にある穴４・・・に調節紐７を通し結び止め８を設けた。調節紐７の使い方は図４で示すように横またはＸ字の形にし、小さ指には重ねて図５の形にでき、指の病状、状態に合わせ穴４に通した調節紐７は多様な結び止め方が出来る。本実施例では調節紐７は穴に通せる細い紐を用いた。又調節紐７は細いゴム紐、皮紐を使用してもよく、病状の状態に合わせて紐を取り替え調節しながら指の曲がりを防止、保護整形していける。
【００１５】
図６において、整形保護キャツプ１Ａを指にはめた場合に第一関節と第二関節に当たる部分にクッションタック１０、１１を設けた。整形保護キャツプ１Ｃを示す。クッションタック１０、１１を設けたことにより微妙な伸び１２縮み１３が可能となる。指に着用して横から見たところを図７で示す。
【００１６】
図８において、上記整形保護キャツプ１Ｃの下端部から爪の見える開口部２まで切り開き６の近傍にある穴４・・・に調節紐７を通して調節して結び止め８をしたことを図９で示す。これにより指の太さ、細さに適合でき指への負担が少なく保護できる。
【００１７】
図１０において、本発明の整形保護キャツプ１Ａ、１Ｂ、１Ｃ、１Ｄをそれぞれ指に付けた時の一例図である。
【００１８】
【発明の効果】
本発明は、以上説明したように構成されているので、実物見本を製作し、使用した結果以下に記載されるような効果を奏する。
【００１９】
整形保護キャップ全面に多数の穴４・・・に明け、爪の見える開口部２を明け１Ａの形にすることことにより、通気性が良く、蒸れず、水仕事をしても皮膚が、ふやけ白くなり、剥がれることもない。指先で丸くなっている部分３があるため、指が前に滑り出たりしなく安定性があり、１Ｂで示すように調節紐７により指の大、中、小の状態に合わせて調節、適合できる整形保護キャツプ。調節紐７にゴム紐を使用すると微妙な動きに負担がかからず、また指の病状が重症な時は、もとの健康な時の指になるまで伸びない紐を使用し、固定すると重症の時に伴う疼痛も緩和でき効果が大である。
【００２０】
本発明の整形保護キャップにクッションタック１０、１１を設ける事により、指の関節部分の機能を失わず治療ができる。整形保護キャツプ１Ｄで示すようにクッションタック１０、１１と調節紐７を設けることにより指の大、中、小等の状態に合わせて調節、適合できる。また調節紐７の紐を使用する時には、指の骨が曲がったり、骨折等病状が重症で何日間の固定が必要な時には伸び縮みしない紐が良い。特に皮紐は柔らかく皮膚になじみ指への負担も軽く、整形保護キャツプが高価に見える。調節紐７のゴム紐を使用する時には繰り返しの業務か、なんらかの病気でゆっくり曲がって行く時には防止、保護、予防ができ微妙な動きにも対応でき治療中のリハビリも兼ねて整形保護キャツプ１Ｄを指にはめたまま仕事が出来る。調節紐７の仕方は病状と手の形に合わせて調節でき、指の使用目的に合わせて、近傍の穴４・・・のどれにでも通せるため自由に調節して結び止め８ができる。
【００２１】
本発明の整形保護キャツプは指の曲がり始めの時の防止、また病状の経過に合わせて取り替えて保護、予防しながら、健康な時の元の指に直して行ける。透明度のある透き通る素材で整形保護キャツプを造り、着用すると手の皺が見えずとても手が美しく見える、透明度に淡いピンク色とか模様を入れると手先が若々しく見え治療するにも、精神的にもとても効果の良い整形保護キャップである。
【図面の簡単な説明】
【図１】本発明の整形保護キャツプ１Ａの実施の形態の一例を示す説明図。
【図２】図１を背後から見た説明図。
【図３】本発明の整形保護キャツプ１Ａに切り開きを設けた状態を示す説明図。
【図４】本発明の整形保護キャツプ１Ｂの実施の形態の一例を示す説明図。
【図５】図４の整形保護キャツプ１Ｂにおいて、紐の通し方を変えた状態を示す説明図。
【図６】本発明の整形保護キャツプ１Ｃの実施の形態の一例を示す説明図。
【図７】本発明の整形保護キャツプ１Ｃを指にはめた状態を示す説明図。
【図８】本発明の整形保護キャツプ１Ｃに切り開きを設けた状態を示す説明図。
【図９】本発明の整形保護キャツプ１Ｄの実施の形態の一例を示す説明図。
【図１０】本発明の整形保護キヤツプ１Ａ、１Ｂ、１Ｃ、１Ｄを指にはめた状態を示す説明図。
【符号の説明】
１　１Ａ、１Ｂ、１Ｃ、１Ｄ本発明の整形保護キャツプ
２　爪の見える開口部
３　丸くなつている部分
４　穴
５　下端部
６　切り開き
７　調節紐
８　結び止め
９　重ね部分
１０　クッションタック
１１　クッションタック
１２　伸び
１３　縮み
１４　指の付け根
１５　指の爪
【図１】
2004041662.tif 000003
【図２】
2004041662.tif 000004
【図３】
2004041662.tif 000005
【図４】
2004041662.tif 000006
【図５】
2004041662.tif 000007
【図６】
2004041662.tif 000008
【図７】
2004041662.tif 000009
【図８】
2004041662.tif 000010
【図９】
2004041662.tif 000011
【図１０】
2004041662.tif 000012